(57)【特許請求の範囲】
【請求項１】
遊技盤の裏面に合成樹脂製の機構板が配設され、前記機構板には球タンクに貯留されたパチンコ球を下流側に整列しながら誘導する誘導レールが設けられ、前記誘導レールの流下端にカーブレールを介してパチンコ球払出装置が着脱自在に装着されているパチンコ遊技機において、
前記パチンコ球払出装置と前記機構板の取付部位にそれぞれ互いに横方向から係合し得る係合部と被係合部を設け、前記パチンコ球払出装置を横方向にスライドさせて前記係合部と前記被係合部を係合させることにより該パチンコ球払出装置を前記取付部位に取り付けられるようにし、前記パチンコ球払出装置の上面であって前記カーブレールの流下端と連通する球供給路の球入口の外周縁にパチンコ球の半径より長い高さを有する覆壁を突設し、前記カーブレールの流下端であって前記パチンコ球払出装置のスライド方向における一側には、前記覆壁が合致して覆い前記パチンコ球払出装置をスライドさせて着脱する際に該パチンコ球払出装置の前記球供給路内に残るパチンコ球によって前記着脱動作の障害とならないような切欠きを設けたことを特徴とするパチンコ遊技機におけるパチンコ球払出装置の取付構造。
【発明の詳細な説明】
【０００１】
【発明の属する技術分野】
本発明は、パチンコ遊技機におけるパチンコ球払出装置の取付構造に関するものである。
【０００２】
【従来の技術】
従来、パチンコ遊技機の遊技盤裏面には周知のように合成樹脂製の機構板が装着されている。この機構板の裏面上部には球タンクが固着されており、該球タンクの下方に球タンクに貯留されたパチンコ球を下流側に整列しながら誘導する誘導レールが設けられている。また、誘導レールの流下端にはカーブレールが接続されており、該カーブレールの下方に入賞に基づいて景品球を払い出すパチンコ球払出装置が設けられている。
【０００３】
前記パチンコ球払出装置は、何らかの要因で故障したときに取外して修理又は交換ができるように機構板に対して着脱可能に装着されている。そこで、このようなパチンコ球払出装置の取付構造として、例えば出願人の発明に係る特開平１０−３１４４０２号公報に開示されるものがある。このものは図１１に示すようにパチンコ球払出装置１００の直方体形状をなすケーシング１０１の前面四隅に取着用の係合突部１０２が形成されている。一方、機構板１０３にはカーブレール１０４の流下端に球通路１０４ａが接続され、該球通路１０４ａの下方にケーシング１０１の前面より上下方向に広い面積を有する凹窪状の取付部位１０５が形成され、その取付部位１０５の周囲に各係合突部１０２を係合しうる係合規制部１０６が突設され、さらに下方部にコ字形の切溝１０７を介してケーシング１０１の前面下辺と係合する突起部１０８を有する係合舌片１０９が形成されている。
【０００４】
そして、図１１矢視のようにケーシング１０１の前端を突起部１０８に当接させて係合舌片１０９を押圧すると共に、下端部を取付部位１０５の下辺に当接させ、その状態のままケーシング１０１を上方にスライドさせることにより各係合規制部１０６と各係合突部１０２が係合し、さらにケーシング１０１が突起部１０８を通り過ぎると同時に係合舌片１０９が弾発力で戻され、突起部１０８がケーシング１０１の前面下辺と係合してパチンコ球払出装置１００が取付部位１０５に取着されるようになっている。
【０００５】
【発明が解決しようとする課題】
しかしながら、このような従来のパチンコ球払出装置の取付構造では、パチンコ球払出装置１００のケーシング１０１を機構板１０３の取付部位１０５下方から上方にスライドさせて各係合突部１０２を各係合規制部１０６に係合させると共にケーシング１０１の前面下辺と突起部１０８を係合させているので、常に突起部１０８でパチンコ球払出装置１００の荷重を下から支えていることとなり、衝撃などを受けると突起部１０８の係合が外れてパチンコ球払出装置１００が落下してしまう虞れが有り、改良すべき点が残されていた。
【０００６】
また、取付部位１０５の上下方向にはパチンコ球払出装置１００を取り付けるための余分なスペースが必要となるが、前記取付部位１０５の上方にはパチンコ球払出装置１００へパチンコ球を供給するためのカーブレール１０４や球通路１０４ａが縦列に並び、しかも下方にはパチンコ球払出装置１００から払い出されるパチンコ球をパチンコ遊技機前面の打球供給皿へ導く排出通路が設けられるなどスペース的な余裕が余りなく、前記スペースの確保に苦慮していた。特に、近年、所謂ＣＲ機と称されるカード対応型のパチンコ遊技機の出現に伴い景品球の払出し機能に加えて貸球の払い出しも行い得るパチンコ球払出装置も開発され、これに伴いパチンコ球払出装置の下方に景品球と貸し球とが目で見て判別出来るような切替通路を設けなくてはならいという要請が有り、これに応えるべく開発に努力が注がれているのが現状である。
【０００７】
そこで、本発明はこのような事情に鑑みなされたもので、パチンコ球払出装置を横方向からスライドさせて取り付けられるようにして、衝撃による落下を防止すると共に上下方向の余分なスペースを無くして該スペースの有効利用が図られるようにしたパチンコ遊技機におけるパチンコ球払出装置の取付構造を提供することを目的とするものである。
【０００８】
【課題を解決するための手段】
かかる目的を達成するため、本発明に係るパチンコ遊技機におけるパチンコ球払出装置の取付構造は、遊技盤の裏面に合成樹脂製の機構板が配設され、該機構板には球タンクに貯留されたパチンコ球を下流側に整列しながら誘導する誘導レールが設けられ、該誘導レールの流下端にカーブレールを介してパチンコ球払出装置が着脱自在に装着されているパチンコ遊技機において、前記パチンコ球払出装置と前記機構板の取付部位にそれぞれ互いに横方向から係合し得る係合部と被係合部を設け、パチンコ球払出装置を横方向にスライドさせて係合部と被係合部を係合させることによりパチンコ球払出装置が前記取付部位に取り付けられるようにした。このように、パチンコ球払出装置は、横方向からスライドさせ係合部と被係合部を係合させることにり取り付けられるので、衝撃を受けても落下することなくしっかりと保持され、しかも取付部位の上下方向には余分なスペースが不要となり、その分そのスペースが有効利用でき、特にＣＲ機など景品球と貸し球が目で見て判別できるような通路も設置し易くなる。
【０００９】
また、これに伴い、前記パチンコ球払出装置の上面であって前記カーブレールの流下端と連通する球供給路の球入口の外周縁にパチンコ球の半径より長い高さを有する覆壁を突設し、カーブレールの流下端であってパチンコ球払出装置のスライド方向における一側には、覆壁が合致して覆いパチンコ球払出装置をスライドさせて着脱する際に該パチンコ球払出装置の球供給路内に残るパチンコ球によって着脱動作の障害とならないような切欠きを設けるようにする。
【００１０】
【発明の実施の形態】
以下、本発明に係るパチンコ遊技機におけるパチンコ球払出装置の取付構造について図面に基づき説明する。なお、本発明にあってはカード対応型のパチンコ遊技機について説明するが、それ以外のパチンコ遊技機についても適用可能であること勿論である。
【００１１】
図１は本発明が適用されるカード式パチンコ遊技機の正面図、図２はその裏面図である。図においてａはパチンコ遊技機、ｂはパチンコ遊技機ａに隣接するように設けられた薄型のカード式球貸機である。パチンコ遊技機ａは、機枠１の前面に前面枠２を開閉自在に装着している。前面枠２の後面側には取付枠を介して遊技盤３が着脱自在に装着される。遊技盤３の前面には、発射位置を有するガイドレール４が設けられ、そのガイドレール４で囲まれる遊技部に複数の入賞口５、可変表示器６、大入賞口７等が設けられている。また、前面枠２の前面下方部には打球供給皿８、下部貯留皿９、操作ハンドル１０等が設けられている。また、カード式球貸機ｂの前面には、カード挿入口１１、球貸スイッチ１２、カード返却スイッチ１３等が設けられている。
【００１２】
一方、前記遊技盤３の裏面には、入賞球集合カバー１４が取り付けられており、該入賞球集合カバー１４の後面に遊技盤３の前面の可変表示器６や大入賞口７の電気的駆動源を囲う箱状カバー１５が設けられている。また、遊技盤３の取付枠一側には合成樹脂製の機構板１６が上下のヒンジ１７，１７を介して着脱及び開閉自在に装着されている。
【００１３】
前記機構板１６は、遊技盤３の裏面と相対する前面側にパチンコ球の直径よりもやや大きい奥行幅を有する入賞球集合空間が形成され、そのほぼ中央部に前記箱状カバー１５を突出させるための開口窓１８が形成されている。また、開口窓１８の下方には入賞球集合空間から落下する入賞球を集合する入賞球集合通路１９が形成されており、該入賞球集合通路１９の流下端に入賞球を１個ずつ排出処理する入賞球排出処理装置２０が設けられている。
【００１４】
また、前記機構板１６の後面側上部にはパチンコ遊技機ａの上方の補給樋から補給されるパチンコ球を貯留する球タンク２１が固着される。球タンク２１の下方には該球タンク２１内のパチンコ球を整列して導き出す誘導レール２２が設けられ、該誘導レール２２の下流端に２条のカーブレール２３を介してパチンコ球払出装置２４が着脱自在に装着されている。２５は該パチンコ球払出装置２４から払い出されるパチンコ球を景品球または貸し球として振り分ける振分装置であり、振り分けられた景品球または貸し球は排出通路２６を介してパチンコ遊技機ａ前面の打球供給皿８に導かれるようになっている。
【００１５】
前記パチンコ球払出装置２４は、直方体状のケーシング２７を有し、該ケーシング２７の内部には図６，図７に示すように前記２条のカーブレール２３と連通する２条の球供給路２８と該球供給路２８と連通状に球送り路２９が形成されており、その球送り路２９にステッピングモーター３０の駆動軸３１に同軸状に取着される２列のスプロケット３２，３２が臨むようになっている。これらのスプロケット３２，３２には位相を違えて外周面に球受凹部３３が等間隔に３個所設けられている。３４は駆動軸３１に固設されたスリット３５入りの円板であり、該円板３４の一側にその周側壁３４ａを投光部と受光部とで挟むようにして、スプロケット３２，３２の各球受凹部３３に受け止めたパチンコ球を検知するフォトセンサ３６が設けられる。そこで、各球受凹部３３に受け止められたパチンコ球はスプロケット３２，３２の回転に伴い落下するが、２条の球供給路２８の下方は対称形状に傾斜させたガイド壁３７，３７によって幅が狭められており、パチンコ球を下端の球出口３８から１個ずつ排出できるようになっている。
【００１６】
しかして、前記ケーシング２７の前面２７ａ一側の上下部に被係合部としての取付孔３９が開設され、一側面２７ｂ前端側の上下部に被係合部としての側面Ｌ型の係合突部４０が突設されている。また、前記２条の球供給路２８の球入口２８ａの外周縁にはその片側にパチンコ球の半径より若干長い高さを有する平面Ｌ型の覆壁４１が突設される。
【００１７】
一方、カーブレール２３の下方に位置した板状部１６ａには図４，図５に示すようにパチンコ球払出装置２４を所定位置に正確に位置づけるためにケーシング２７の前面２７ａより左右方向にやや大きい面積を有する凹窪状の取付部位４２が形成され、その周囲に前記各取付孔３９と係合突部４０に係合し得る係合部としての係合規制部４３が突設されている。これら係合規制部４３は、前記各取付孔３９と係合突部４０が図５の左横方向から係合し得るように平面逆Ｌ型に形成されている。
【００１８】
そして、この取付部位４２に前記パチンコ球払出装置２４が着脱自在に取り付けられるもので、その取り付けは図５に示すようにケーシング２７の前面２７ａを取付部位４２に当接し、下端部を取付部位４２の下辺に当接すると共に、一側の両係合規制部４３を取付孔３９に臨ませた状態で、図５矢視方向すなわち右横方向へスライドさせる。これにより、図６ないし図８に示すように各取付孔３９と係合突部４０が各係合規制部４３に係合してパチンコ球払出装置２４が取り付けられる。４４はこのようにして取り付けられたパチンコ球払出装置２４が緩んで外れないように固定するための側面Ｌ型のストッパ部材であり、図４，図６，図７に示すように取付部位４２の一側上方に突設された左右一対をなす支持片４４ａ間に前後方向へ回転自在に軸支される。そして、後方へ回動することで、ケーシング２７の側面２７ｃに当接して、パチンコ球払出装置２４が図６横方向、すなわち左方向へずれないようにしている。これにより、パチンコ球払出装置２４は、下縁を前記取付部位４２の下辺で支持され、また各取付孔３９と係合突部４０が各係合規制部４３と係合し、更にストッパ部材４４により規制されるので、いかに衝撃を受けても係合が外れることがなく強固に固定されることとなる。しかも、従来のようにパチンコ球払出装置２４下方の余分なスペースが不要となる。
【００１９】
一方、パチンコ球払出装置２４を取付部位４２から外すときは、前記ストッパ部材４４を図７鎖線のように前方へ回動して規則を解き、左側へスライドさせるのみで、各取付孔３９、係合突部４０と係合規制部４３との係合が解かれ、簡単に取り外すことができる。
【００２０】
前記カーブレール２３の流下端であって、前記パチンコ球払出装置２４のスライド方向における一側、すなわち図５における左側に前記覆壁４１が合致して覆う切欠き４５が設けられる。これは、パチンコ球払出装置２４を横方向にスライドさせて着脱する際、球供給路２８内に球入口２８ａより半径分位上方へ突出した状態でパチンコ球が残っていると、そのパチンコ球によって着脱動作の障害となるので、これを避けるためである。
【００２１】
前記振分装置２５は、直方体形状のケーシング４６を有し、図５に示すように板状部１６ａにビス４７止めして固定されている。また、ケーシング４６の上面には図６，図７に示すようにパチンコ球払出装置２４の球出口３８に連通する球通路口４８が形成され、該球通路口４８の下流は景品球通路４９と貸球通路５０とに分岐され、それぞれ下端に景品球用と貸球用の検知スイッチ５１，５２が設けられる。５３は景品球通路４９と貸球通路５０を交互に開閉して切り換える切換弁で、図７に示すように下端を横軸５４で軸支させている。５５は切換弁５３を作動させる電磁石であり、その作動板５６に設けた突起５７を切換弁５３の下部に設けた係合凹部５８に係合させ、電磁石５５の消磁状態では景品球通路４９を開放しており、電磁石５５が励磁すると貸球通路５０を開放するように構成されている。
【００２２】
そこで、入賞球処理装置２０からの入賞球検出信号によってパチンコ球払出装置２４から払い出される景品球としてのパチンコ球は球出口３８から球通路口４８を介して流下し、景品球用の検知スイッチ５１によりカウントされながら下方の排出樋５９及び排出通路２６を介して打球供給皿８に排出される。一方、球貸出要求信号があるとパチンコ球払出装置２４から貸球としてのパチンコ球が払い出されると同時に電磁石５５が励磁され、切替弁５３を図６矢視方向へ回動して景品球通路４９を閉じ貸球通路５０を開放する。このため、パチンコ球払出装置２４から払い出される貸球としてのパチンコ球は貸球通路５０を流下し、貸球用の検出スイッチ５２によりカウントされながら下方の排出樋５９及び排出通路２６を介して打球供給皿８に排出されるようになっている。そして、貸球用の検知スイッチ５２が所定個数の貸球をカウントするとパチンコ球払出装置２４が停止し、切替弁５３を元の位置に回動復帰させる。
【００２３】
図９，図１０は他の実施の形態に係るもので、この実施の形態では、縦長に形成されるケーシング６０内の上下にそれぞれパチンコ球払出装置２４と振分装置２５との内部機構がそのまま一体化して収められたものである。このケーシング６０には、パチンコ球払出装置２４と同様に前面６０ａ一側の上下部に取付孔３９が開設され、一側面６０ｂ前端側の上下部に係合突部４０が突設されている。
一方、板状部１６ａにはケーシング６０の前面６０ａより左右方向にやや大きい面積を有する凹窪状の取付部位６１が形成され、その周囲に同様に係合規制部４３、ストッパ部材４４がそれぞれ設けられ、この場合もケーシング６０を横方向からスライドさせて取り付けられるようになっている。このように、一体化することにより扱い易く、取り付けも作業性良く簡単に行なえる。
【００２４】
【発明の効果】
以上述べたように、本発明に係るパチンコ遊技機におけるパチンコ球払出装置の取付構造は、パチンコ球払出装置を横方向にスライドさせて係合部と被係合部を係合させることにより取付部位に取り付けられるようにしたので、パチンコ球払出装置が衝撃で落下するようなこともなく、しかもその上下方向に余分なスペースが必要なくなり、このため例えばカード式パチンコ遊技機にあっては、下方に振分装置が設置し易いなどスペースの有効利用が図れるといった有益な効果を有する。
また、パチンコ球払出装置の上面であってカーブレールの流下端と連通する球供給路の球入口の外周縁にパチンコ球の半径より長い高さを有する覆壁を突設し、カーブレールの流下端であってパチンコ球払出装置のスライド方向における一側には、覆壁が合致して覆いパチンコ球払出装置をスライドさせて着脱する際に該パチンコ球払出装置の球供給路内に残るパチンコ球によって着脱動作の障害とならないような切欠きを設けたので、パチンコ球払出装置を着脱する際、該パチンコ球払出装置に残るパチンコ球がカーブレールの内壁に当接して着脱動作の障害となるようなこともない。
【図面の簡単な説明】
【図１】  本発明が適用されるパチンコ遊技機の正面図。
【図２】  本発明が適用されるパチンコ遊技機の裏面図。
【図３】  パチンコ球払出装置を取着した状態の要部斜視図。
【図４】  パチンコ球払出装置を取り外した状態の要部斜視図。
【図５】  パチンコ球払出装置を取着する状態の正面断面図。
【図６】  パチンコ球払出装置を取着した状態の正面断面図。
【図７】  パチンコ球払出装置を取着した状態の側面断面図。
【図８】  図６のＸ−Ｘ線断面図。
【図９】  パチンコ球払出装置と振分装置の内部機構を一体化して収めたケーシングを取り外した状態の斜視図。
【図１０】  同ケーシングを取着した状態の正面断面図。
【図１１】  従来のパチンコ球払出装置を取り外した状態の斜視図。
【符号の説明】
３        遊技盤
１６      機構板
２１      球タンク
２２      誘導レール
２３      カーブレール
２４      パチンコ球払出装置
２８      球供給路
２８ａ    球入口
３９      被係合部（取付孔）
４０      被係合部（係合突部）
４１      覆壁
４２      取付部位
４３      係合部（係合規制部）
４５      切欠き
ａ        パチンコ遊技機
【図１】
0003944325.tif 000002
【図２】
0003944325.tif 000003
【図３】
0003944325.tif 000004
【図４】
0003944325.tif 000005
【図５】
0003944325.tif 000006
【図６】
0003944325.tif 000007
【図７】
0003944325.tif 000008
【図８】
0003944325.tif 000009
【図９】
0003944325.tif 000010
【図１０】
0003944325.tif 000011
【図１１】
0003944325.tif 000012